(57)【要約】      （修正有）【課題】漏水センサーの誤動作を防止し、工事性・信頼性を向上すること。【解決手段】本発明の温水器は、湯水を貯える貯湯タンクと、前記貯湯タンクを収納する筐体と、前記筐体底部に配設され漏水を検知する漏水センサーとを備え、前記漏水センサーの排水口にフィルター５を付したことを特徴とするものである。これによって、フィルター５を付すことで蒸気が通りにくくなり、蒸気などによる漏水センサーの誤動作を防止することができる。【選択図】図１
2008051418.tif 000002
【特許請求の範囲】
【請求項１】
湯水を貯える貯湯タンクと、前記貯湯タンクを収納する筐体と、前記筐体底部に配設され漏水を検知する漏水センサーとを備え、前記漏水センサーの排水口にフィルターを付したことを特徴とする温水器。
【請求項２】
フィルターをメッシュ状にしたことを特徴とする請求項１に記載の温水器。
【請求項３】
フィルターをパンチング状にしたことを特徴とする請求項１に記載の温水器。
【発明の詳細な説明】
【技術分野】
【０００１】
本発明は、貯湯タンクをもつ温水器の漏水センサーの構成に関するものである。
【背景技術】
【０００２】
従来、この種の漏水センサーは、貯湯タンクを有する温水器の筐体底部に漏水センサーを備え、漏水センサーが漏水を検知し、異常を報知していた（例えば、特許文献１参照）。
【０００３】
図６は、特許文献１に記載された従来の漏水センサーを有する温水器の構成図である。図６に示すように、湯水を貯える貯湯タンク１０１と、貯湯タンク１０１に水を供給するための給水管１０２と、貯湯タンク１０１の水を所定の温度に沸き上げるヒータ１０４と、給湯する出湯管１０３と、湯温を検知する温度検知器１０５と、温度検知器１０５からの信号を検知しヒータ１０４への通電を制御する制御器１０６からなる電気温水器で、貯湯タンク１０１などから漏水が生じると、筐体１１１の底板１１２に配設されている排水口１１３に漏水が流れ出し、排水口１１３に設けた漏水検知部１１５が検知すると共に、制御器１０６へ信号を送り、制御器１０６は漏水警報部１１６にて報知させ、ヒータ１０４への通電を停止するようにしていた。
【特許文献１】特開平０５−５５５８号公報
【発明の開示】
【発明が解決しようとする課題】
【０００４】
しかしながら、前記従来の構成では、設置工事後の試運転で沸きあがった貯湯タンク内のお湯抜き作業や、他の機器から沸騰した湯が漏水センサーが配設されている排水口の下部（例えば、排水溝など）に流れると、排水溝などを流れる湯の蒸気が排水口から本体内に侵入し、蒸気が漏水センサーに付着・結露し、漏水していないにも関わらず、漏水センサーが誤動作してしまうという課題を有していた。
【０００５】
本発明は、前記従来の課題を解決するもので、漏水センサーの誤動作を防止し、工事性・信頼性を向上することを目的とする。
【課題を解決するための手段】
【０００６】
前記従来の課題を解決するために、本発明の温水器は、湯水を貯える貯湯タンクと、前記貯湯タンクを収納する筐体と、前記筐体底部に配設され漏水を検知する漏水センサーとを備え、前記漏水センサーの排水口にフィルターを付したことを特徴とするものである。
【０００７】
これによって、フィルターを付すことで蒸気が通りにくくなり、漏水センサーの誤動作を防止することができる。
【発明の効果】
【０００８】
本発明の温水器は、漏水センサーの誤動作を防止し、工事性・信頼性を向上することができる。
【発明を実施するための最良の形態】
【０００９】
第１の発明の温水器は、湯水を貯える貯湯タンクと、前記貯湯タンクを収納する筐体と、前記筐体底部に配設され漏水を検知する漏水センサーとを備え、前記漏水センサーの排水口にフィルターを付したことにより、蒸気が通りにくくなり、漏水センサーの誤動作を抑えることができるので、温水器として工事性・信頼性を向上することができる。
【００１０】
第２の発明の温水器は、フィルターをメッシュ状にしたことにより、メッシュに付着した蒸気によりフィルターに水の膜ができ、漏水センサーの排水口に蒸気が通りにくくなる。
【００１１】
第３の発明の温水器は、フィルターをパンチング状にしたことにより、フィルターの熱容量を大きくし、さらにフィルターに水の膜ができやすくなり、漏水センサーの排水口に蒸気が通りにくくなる。つまり、蒸気が上がってきた時、初期は蒸気で温まりにくいため早くパンチングの穴に結露が起こる。
【００１２】
以下、本発明の実施の形態について、図面を参照しながら説明する。なお、この実施の形態によって本発明が限定されるものではない。
【００１３】
（実施の形態１）
図１は、本実施の形態における温水器の構成図である。図１において、本実施の形態における温水器は、貯湯タンク１と、貯湯タンク１に水を供給する給水管２（給水手段）と、貯湯タンク１を収納する筐体１０と、筐体１０の底板６に取り付けられ漏水を検出する漏水センサー３と、漏水センサー３からの信号で機器の異常を知らせる制御手段４と、機器の異常を表示するリモコン８（表示手段）とを有する。また漏水センサー３の排水口には、ステンレスメッシュのフィルター５が取り付けられた構成としている。漏水センサーの下部には漏水を排出する排水溝１１があり、漏水センサーを通過した湯水は、排水溝に流入する。
【００１４】
図２は、本実施の形態における漏水センサー３の断面図である。図２に示すように、漏水センサー３の排水口にフィルター５が取り付けられている。
【００１５】
以下、漏水時の動作について説明する。通常、貯湯タンク１の接続部で漏水が発生すると、貯湯タンク１の下部の底板６に水が集まる。その水を漏水センサー３内の電極１１で検知することで漏水であると判断し、機器の異常をリモコン８に表示させている。
【００１６】
次に、本発明の温水器におけるフィルター５の形状について説明する。図３は、フィルター５のメッシュ数に対する蒸気の通過量を示した図、図４は、フィルター５のメッシュ数に対する排水の量を示した図である。なお、図３において、メッシュ数がゼロつまり漏水センサーにフィルター５を設けないときには、蒸気の通過がフィルター５で防止されることなく漏水センサーで検知してしまうので、蒸気の通過量を１としている。
【００１７】
図３が示すように、メッシュ数を増やせば蒸気の通過量が少なくなり、メッシュ数を減らせば蒸気の通過量が増える。つまりメッシュが細かくなればなるほど、蒸気の通過量が減るので、排水溝からの蒸気を漏水センサー３で誤検知しにくくなる。また図４が示すように、メッシュ数を増やせば排水量が少なくなり、メッシュ数を減らせば排水量が増える。つまりメッシュが細かくなればなるほど、排水能力が減衰してしまう。本発明では、蒸気の通過量と、排水量とのバランスを考慮し、メッシュ数を２０としている。
【００１８】
以上のように、メッシュ状のフィルターを、漏水センサー３の排水口に取り付けることによって、漏水センサー３の下部から発生する蒸気を、電極１１で誤検知することを抑制することができる。
【００１９】
（実施の形態２）
図５は、本実施の形態における温水器の構成図である。なお、実施の形態１と同じ箇所については、同じ記号を付して説明を省略し、相違点について説明する。本実施の形態２
における温水器は、貯湯タンク１と給水管２との接続部に電磁弁７を有している。
【００２０】
以下、漏水時の動作について説明する。貯湯タンク１の接続部で漏水が発生すると、貯湯タンク１の下部の底板６に水が集まる。園水を漏水センサー３内の電極１１に水が浸されることで漏水であると判断し、電磁弁７を閉じる。電磁弁７を閉じることによって、給水管２から貯湯タンク１への給水を遮断することで、水漏れの被害が拡大することを防止するとともに、リモコン８に異常を表示し、警告音を発生する。
【００２１】
なお、本実施の形態２におけるフィルター５は、ステンレス製のパンチング形状となっており、実施の形態１のメッシュ形状と同じように、パンチングの穴が大きいと蒸気の阻止能力が低くなり、排水能力が向上する。またパンチングの穴が小さいと蒸気の阻止能力が高くなり、排水能力が低下する。そのため、本実施の形態２においては、排水口の内径がΦ１９に対して、パンチングの穴径をΦ３とし、パンチング数を２０として蒸気の侵入能力と漏水の排水能力とのバランスを取っている。
【００２２】
また、ステンレスでできているので、熱容量が大きいため、蒸気が通過しようとするとすばやく蒸気の熱を奪って蒸気が結露し、蒸気が通過するのを防止している。
【００２３】
以上のように、パンチング状のフィルターを、漏水センサー３の排水口に取り付けることによって、漏水センサー３の下部から発生する蒸気を、電極１１で誤検知することを抑制することができる。
【産業上の利用可能性】
【００２４】
以上のように、本発明にかかる温水器は、漏水を検知する漏水センサーの誤動作を防止するものであり、ヒートポンプ式給湯装置、電気温水器など様々な温水器の漏水センサーの誤動作防止に適用できる。
【図面の簡単な説明】
【００２５】
【図１】実施の形態１における温水器の構成図
【図２】実施の形態１における漏水センサーの断面図
【図３】実施の形態１におけるメッシュ数と蒸気通過量との相関図
【図４】実施の形態１におけるメッシュ数と排水量との相関図
【図５】実施の形態２における温水器の構成図
【図６】従来の温水器の構成図
【符号の説明】
【００２６】
１  貯湯タンク
２  給水管
３  漏水センサー
４  制御手段
５  フィルター
６  底板
７  電磁弁
８  リモコン
１０  筐体
１１  電極
１２  排水溝
【図１】
2008051418.tif 000003
【図２】
2008051418.tif 000004
【図３】
2008051418.tif 000005
【図４】
2008051418.tif 000006
【図５】
2008051418.tif 000007
【図６】
2008051418.tif 000008